(57)【要約】 【課題】  長期に飾体の円滑な回転動がなされるようにする。【解決手段】  揺れの作用で回転動する飾体１を備えている。飾体１は、ラジアルベアリング３を介して支軸２に回転可能に支持されて、支軸２の軸線に対する重量分布が偏位されている。支軸２は、飾体１，ラジアルベアリング３，支軸２を収容して飾体１の回転域を囲むケース４に支持されている。ケース４は、少なくとも飾体１に対面する部分が外部から透視可能な材質で形成されている。【選択図】 図１
2005230270.tif 000002
【特許請求の範囲】
【請求項１】
揺れの作用で回転動する飾体を備えたアクセサリにおいて、飾体はラジアルベアリングを介して支軸に回転可能に支持されて支軸の軸線に対する重量分布が偏位され、支軸は飾体，ラジアルベアリング，支軸を収容して飾体の回転域を囲むケースに支持され、ケースは少なくとも飾体に対面する部分が外部から透視可能な材質で形成されていることを特徴とするアクセサリ。
【請求項２】
請求項１のアクセサリにおいて、ケースは円筒形の本体筒の両端面が円形の透明板で閉塞されたドラム形に形成され、支軸は一方の透明板の中心に固定されていることを特徴とするアクセサリ。
【請求項３】
請求項２のアクセサリにおいて、ケースはドラム形の軸長の中心から偏位した位置に吊下紐が挿通される吊下用端末具が取付けられていることを特徴とするアクセサリ。
【発明の詳細な説明】
【技術分野】
【０００１】
本発明は、身体，衣類，携帯機器，車両等の揺動される部分，箇所に揺動可能に取付けられる比較的小型のアクセサリに係る技術分野に属する。
【背景技術】
【０００２】
従来、揺動可能に取付けられる比較的小型のアクセサリとしては、例えば、以下に記載のものが知られている。
【特許文献１】特開平６−４６９０８号公報  特許文献１には、全体の揺動に伴う揺れの作用で回転動する飾体を備えたアクセサリが記載されている。
【０００３】
特許文献１に係るアクセサリは、飾体の重量バランスを偏位させる等して飾体の回転動を慣性で長時間継続させることで、駆動源を備えることなく動的な装飾効果を得るものである。
【発明の開示】
【発明が解決しようとする課題】
【０００４】
特許文献１に係るアクセサリでは、飾体と飾体を回転可能に支持する部分とが露出された単なる係止構造（丸カン，紐）からなるため、摩耗や異物の付着等で短期に飾体の円滑な回転動がなされなくなってしまうという問題点がある。
【０００５】
本発明は、このような問題点を考慮してなされたもので、長期に飾体の円滑な回転動がなされるアクセサリを提供することを課題とする。
【課題を解決するための手段】
【０００６】
前述の課題を解決するため、本発明に係るアクセサリは、特許請求の範囲の各請求項に記載の手段を採用する。
【０００７】
即ち、請求項１では、揺れの作用で回転動する飾体を備えたアクセサリにおいて、飾体はラジアルベアリングを介して支軸に回転可能に支持されて支軸の軸線に対する重量分布が偏位され、支軸は飾体，ラジアルベアリング，支軸を収容して飾体の回転域を囲むケースに支持され、ケースは少なくとも飾体に対面する部分が外部から透視可能な材質で形成されていることを特徴とする。
【０００８】
この手段では、飾体がラジアルベアリングを介して支軸に支持され摩耗が回避されて円滑な回転動が継続的に保障され、飾体，ラジアルベアリング，支軸がケーシングに収容されて異物の付着が防止される。
【０００９】
また、請求項２では、請求項１のアクセサリにおいて、ケースは円筒形の本体筒の両端面が円形の透明板で閉塞されたドラム形に形成され、支軸は一方の透明板の中心に固定されていることを特徴とする。
【００１０】
この手段では、ドラム形のケースの両端面側から飾体が透視され、飾体に立体感がもたらされる。
【００１１】
また、請求項３では、請求項２のアクセサリにおいて、ケースはドラム形の軸長の中心から偏位した位置に吊下紐が挿通される吊下用端末具が取付けられていることを特徴とする。
【００１２】
この手段では、ケースの複雑な揺動が起生され飾体の回転動が活発になる。
【発明の効果】
【００１３】
本発明に係るアクセサリは、飾体がラジアルベアリングを介して支軸に支持され摩耗が回避されて円滑な回転動が継続的に保障され、飾体，ラジアルベアリング，支軸がケーシングに収容されて異物の付着が防止されるため、長期に飾体の円滑な回転動がなされる効果がある。
【００１４】
さらに、請求項２として、ドラム形のケースの両端面側から飾体が透視され、飾体に立体感がもたらされるため、装飾性が高くなる効果がある。
【００１５】
さらに、請求項３として、ケースの複雑な揺動が起生され飾体の回転動が活発になるため、装飾性が高くなる効果がある。
【発明を実施するための最良の形態】
【００１６】
以下、本発明に係るアクセサリを実施するための最良の形態を図面に基づいて説明する。
【００１７】
この形態では、ネックレス等に吊下げられるブローチ（ペンダント）に適用されたものを示してある。
【００１８】
この形態は、図１に示すように、飾体１，支軸２，ラジアルベアリング３，ケース４，吊下用端末具５の各部で構成されている。
【００１９】
飾体１は、回転動の軸線Ｘに対する重量分布が偏位された小片からなる。材質については、合成樹脂材，金属材，セラミックス，天然材（木材，貝類，宝石類）等を自由に選択することができる。材質の選択によっては、そのまま利用することもできるし、形状，彩色等に装飾加工を施こすこともできる。
【００２０】
支軸２は、薄い円板形の台板２１の中心に細い丸棒の軸部２２を起立させてなるもので、飾体１を回転可能に支持する。材質については、ステンレス等の耐腐食性の金属材が選択される。軸部２２の軸線Ｘは、飾体１の回転動の軸線Ｘに相当する。
【００２１】
ラジアルベアリング３は、微小なボールベアリングからなるもので、飾体１，支軸２の間に介装される。ボールベアリングのアウタリングは、飾体１に固定されている。ボールベアリングのインナリングは、支軸２の軸部２２に固定されている。
【００２２】
ケース４は、円筒形の本体筒４１の両端面が円形の透明板４２で閉塞されたドラム形に形成されてなるもので、飾体１，支軸２，ラジアルベアリング３を収容して飾体１の回転域を囲む。材質については、合成樹脂材，金属材，セラミックス等を自由に選択することができる。本体筒４１の端縁には、透明板４２が嵌合される嵌合溝４１ａと、嵌合溝４１ａから連続して内側に傾斜したテーパ部４１ｂとが形成されている。本体筒４１の外周面には、立体的な装飾部５３が設けられている。
【００２３】
ケース４に収容された支軸２は、一方の透明板４２の中心に台板２１が当接され接着剤等で固定される。なお、軸部２２の軸線Ｘ（飾体１の回転動の軸線Ｘ）は、ケース４の本体筒４１の軸線と一致している。
【００２４】
吊下用端末具５は、ケース４の装飾部４３に取付けられた変形のコ字形の連結座５１に丸カン５２を介して挿通用リング５３が連結されてなるもので、ネックレス等を構成するが吊下紐Ｌが挿通される。丸カン５２，挿通用リング５３の位置Ｙは、図４に示すように、ケース４の本体筒４１の軸長の中心Ｚから長さａ分偏位している。
【００２５】
この形態によると、図３に示すように、組付けられた飾体１，支軸２，ラジアルベアリング３の支軸２の台板２１をケース４の透明板４２に固定した後に、透明板４２をケース４の本体筒４１の嵌合溝４１ａに嵌合（必要に応じて接着剤を使用する）する製造工作を行うことができる。従って、飾体１，支軸２，ラジアルベアリング３，ケース４からなる微小構造であるにもかかわらず、安価，容易な製造が可能である。
【００２６】
この形態は、飾体１，支軸２，ラジアルベアリング３がケース４で囲まれて異物の付着が防止される。また、飾体１，支軸２の間に介装されたラジアルベアリング３が摩耗を回避して、飾体１の円滑な回転動を継続的に保障する。従って、長期に飾体１の円滑な回転動がなされることになる。なお、飾体１の回転動の軸線Ｘに対する重量分布が偏位され、飾体１の回転動が慣性で長時間継続されるため、駆動源を備えることなく動的な装飾効果を得るという機能が損なわれることはない。
【００２７】
また、この形態は、ケース４の両端面が透明板４２で飾体１に対面する両端面側から飾体１が透視される。従って、飾体１に立体感がもたらされ、動的な装飾効果との相乗で装飾性が高くなる。なお、ケース４のテーパ部４１ｂが奥行きを構成する額縁的な印象を与えることも、装飾性を高めることに寄与する。
【００２８】
また、この形態は、図５に示すように、吊下用端末具５の偏位から吊下紐Ｌに吊下げられた状態でケース４が垂線Ｗに対して傾斜する。即ち、ケース４が不安定な状態で吊下紐Ｌに吊下げられ揺動しやすくなる。従って、図２，図５に示すように、ケース４の複雑な揺動が起生され飾体１の回転動が活発になるため、装飾性が高くなる。
【００２９】
なお、この形態を長期に使用した場合、飾体１がケース４で覆われて飾体１の外気との接触による劣化が防止されているため、繊細な材質の飾体１を選択しても装飾性が損なわれることがない。
【００３０】
以上、図示した形態の外に、ブローチ以外のイヤリング，ブレスレッド，ストラップ，根付け等に適用することが可能である。
【００３１】
さらに、ケース４の内面に鏡を備えて反射光による光り装飾を構成することも可能である。
【００３２】
さらに、飾体１の内部に回転動を利用して発光，発声する素子類を内蔵することも可能である。
【００３３】
さらに、ケース４に防水構造を付与することも可能である。この形態によると、水中での使用が可能になるとともに、装身した場合に汗による飾体１の劣化を防止することができる。
【図面の簡単な説明】
【００３４】
【図１】本発明に係るアクセサリを実施するための最良の形態の正面図である。
【図２】図１の一部の部材を除去した図である。
【図３】図１の要部の拡大縦断面図である。
【図４】図１の側面図である。
【図５】図４の使用時の動作図である。
【符号の説明】
【００３５】
１         飾体
２         支軸
３          ラジアルベアリング
４          ケース
４１          本体筒
４２          透明板
５            吊下用端末具
Ｌ 吊下紐
【図１】
2005230270.tif 000003
【図２】
2005230270.tif 000004
【図３】
2005230270.tif 000005
【図４】
2005230270.tif 000006
【図５】
2005230270.tif 000007